(57)【特許請求の範囲】
【請求項１】
映像を投影するプロジェクタと、プロジェクタで投影された映像を拡大表示する単位スクリーンと、一端が光入射端末としてプロジェクタに収束連結され他端が光出射端末として単位スクリーンに収束連結された光ファイバとを備え、単位スクリーンを並設して大型スクリーンを構成してなる大規模映像装置において、単位スクリーンを多数枚に分割された単位パネルで構成し、光ファイバの光出射端末付近を単位パネルごとにコネクタに整列させ、光ファイバの光入射端末付近を別のコネクタに整列させ、前記光出射端末付近を整列させたコネクタと前記光入射端末付近を整列させた別のコネクタとの間にケーブル化した光ファイバを配設したことを特徴とする大規模映像装置。
【請求項２】
請求項１の大規模映像装置において、光出射端末付近を整列させたコネクタは大型スクリーンの背部を避けた位置に配置され、光出射端末付近を整列させたコネクタの内部にまたは光出射端末付近を整列させたコネクタに近接して、光出射端末付近を整列させたコネクタの配置位置から単位パネルまでの光ファイバの配設長の長短による光伝送損失の差を調整する光伝送損失調整具を備えたことを特徴とする大規模映像装置。
【請求項３】
請求項１または２の大規模映像装置において、単位パネルは、光ファイバの光出射端末が嵌合固定される取付孔が開口された薄板形の基板と、基板の裏面に設けられたリブとからなることを特徴とする大規模映像装置。
【発明の詳細な説明】
【０００１】
【発明の属する技術分野】
本発明は、アーケード，ドーム天井，ビル壁面等に大規模に映像を表示する大規模映像装置に係る技術分野に属する。
【０００２】
【従来の技術】
従来、大規模映像装置としては、例えば、特開平７−６４１８５号公報に記載のものが知られている。
【０００３】
この従来の大規模映像装置は、映像を投影するプロジェクタと、プロジェクタで投影された映像を拡大表示する単位スクリーンと、一端が光入射端末としてプロジェクタに収束連結され他端が光出射端末として単位スクリーンに収束連結された光ファイバとを備え、単位スクリーンを並設して大型スクリーンを構成してなる。
【０００４】
この従来の大規模映像装置では、各プロジェクタをコントローラで制御することにより、単位スクリーンに分割表示された映像を集合させて大型スクリーンに全体としての映像を相当に拡大して表示することができる。そして、プロジェクタの機能やコントローラの制御性能等によっては、かなり複雑な動画からなる映像をも大型スクリーンに表示することもできる。
【０００５】
【発明が解決しようとする課題】
前述の従来の大規模映像装置では、大型スクリーンをさらに大型化しようとすると、単位スクリーンの面数を増やしたり、各単位スクリーンの面積を大きくしたりしなければならなくなる。このため、単位スクリーンの面数に応じて光ファイバの本数が増加し、単位スクリーンの面積の拡大に対応した画質の保持のために画素となる光ファイバの本数が増加することになる。そして、プロジェクタから単位スクリーンまでの光ファイバの配設長が長くなってしまうことになる。
【０００６】
従って、大型スクリーンのさらなる大型化を指向すると、多数本が長く配設される光ファイバを損傷せずに設置工事することが困難であるという問題点がある。
【０００７】
本発明は、このような問題点を考慮してなされたもので、光ファイバを損傷することなく巨大化した大型スクリーンを設置工事することのできる大規模映像装置を提供することを課題とする。
【０００８】
【課題を解決するための手段】
前述の課題を解決するため、本発明に係る大規模映像装置は、次のような手段を採用する。
【０００９】
即ち、請求項１では、映像を投影するプロジェクタと、プロジェクタで投影された映像を拡大表示する単位スクリーンと、一端が光入射端末としてプロジェクタに収束連結され他端が光出射端末として単位スクリーンに収束連結された光ファイバとを備え、単位スクリーンを並設して大型スクリーンを構成してなる大規模映像装置において、単位スクリーンを多数枚に分割された単位パネルで構成し、光ファイバの光出射端末付近を単位パネルごとにコネクタに整列させ、光ファイバの光入射端末付近を別のコネクタに整列させ、前記光出射端末付近を整列させたコネクタと前記光入射端末付近を整列させた別のコネクタとの間にケーブル化した光ファイバを配設したことを特徴とする。
【００１０】
この手段では、単位パネルについて、コネクタにより光ファイバの配設ラインから分離された状態で単位スクリーンを構成する取付け工事が行われ、取付け工事の完了後にコネクタにより光ファイバの配設ラインに接続される。
また、両コネクタの間で光ファイバがケーブルとして配設される。
【００１１】
また、請求項２では、請求項１の大規模映像装置において、光出射端末付近を整列させたコネクタは大型スクリーンの背部を避けた位置に配置され、光出射端末付近を整列させたコネクタの内部にまたは光出射端末付近を整列させたコネクタに近接して、光出射端末付近を整列させたコネクタの配置位置から単位パネルまでの光ファイバの配設長の長短による光伝送損失の差を調整する光伝送損失調整具を備えたことを特徴とする。
【００１２】
この手段では、光ファイバが収束される光出射端末の近接箇所を避けてコネクタが配置される。コネクタの配置位置による光ファイバの光伝送損失の差は、光伝送損失調整具で調整される。
【００１３】
また、請求項３では、請求項１または２の大規模映像装置において、単位パネルは、光ファイバの光出射端末が嵌合固定される取付孔が開口された薄板形の基板と、基板の裏面に設けられたリブとからなることを特徴とする。
【００１４】
この手段では、単位パネルが基板，リブの軽量構造体からなる。
【００１５】
【発明の実施の形態】
以下、本発明に係る大規模映像装置の実施の形態を図面に基いて説明する。
【００１６】
この実施の形態では、図１に示すように、アーケードからなる大型スクリーンＳを設置工事するものを示してある。
【００１７】
この実施の形態は、前述の従来例と同様のプロジェクタ１，単位スクリーン２，光ファイバ３からなる基本構造を採用している。
【００１８】
プロジェクタ１は、液晶タイプからなるもので、ビデオ等を内蔵しまたは映像入力端子が設けられた本体部１１と、本体部１１により映像が投影される方形の液晶面１２を備えている。液晶面１２には、図５に詳細に示されるように、光ファイバ３の光入射端末３１が収束連結されている。
【００１９】
このプロジェクタ１は、単位スクリーン２ごとに設置されてパーソナルコンピュータ等のコントローラ４で制御されるようになっている。
【００２０】
単位スクリーン２は、湾曲形状の７面が２列に並設されてなる１４面で湾曲アーケードの大型スクリーンＳを構成している。各単位スクリーン２は、碁盤目状に多数枚に分割された湾曲方形の単位パネル５で構成されている。
【００２１】
単位パネル５は、図２〜図４に詳細に示されるように、薄板形の基板５１と基板５１の裏面に設けられたリブ５２との軽量構造体からなる。基板５１は、光ファイバ３の光出射端末３２が嵌合固定により収束連結される取付孔５１１が開口された金属材，合成樹脂材等の主板５１２の両面に裏板５１３，表板５１４を積層してなる。裏板５１３は、遮光，防水等の取付目的に応じて材質が選択される。表板５１４は、光拡散，光ファイバ３保護等の取付目的に応じて材質が選択される。リブ５２は、フレーム形に形成されて基板５１を補強するとともに、図３に示すようなジョイント金具６で隣接する単位パネル５のリブ５２に連結されたり、図４に示すようなボルト７の螺合によりアーケードの骨材８に取付け固定されるようになっている。
【００２２】
光ファイバ３は、図２，図３に示すように、光入射端末３１，光出射端末３２がそれぞれ少しの長さを有してコネクタ１０，２０に整列されている。また、光ファイバ３の光入射端末３１，光出射端末３２以外の部分は、束ねられてケーブル化した光ケーブル３３になっていいる。光ケーブル３３は、端末部に前記コネクタ１０，２０に連結するコネクタ１０’，２０’を備えている。なお、光ファイバ３の材質としては、軽量の合成樹脂光ファイバが選択される。
【００２３】
また、光ファイバ３の光出射端末３２が整列されたコネクタ２０は、大型スクリーンＳの背部側を避けて側方直下に並列して設置されている。そして、このコネクタ２０の内部または近接した箇所には、コネクタ２０から単位パネル５までの光出射端末３２の長さの異なりによる光伝送損失に差を調整するためのフィルタ等の光伝送損失調整具（図示せず）が設けられている。
【００２４】
この実施の形態によると、大型スクリーンＳの設置工事に際しては、コネクタ２０，２０’を離脱させて各単位パネル５をそれぞれアーケードの骨材８等に取付け工事することになる。
【００２５】
この各単位パネル５の取付け工事では、単位スクリーン２に光ファイバ３の光出射端末３２を一部ずつまとめて収束させていく施工のようになるため、単位スクリーン２に光ファイバ３の光出射端末３２を全部まとめて収束させるよりも、光ファイバ３の光出射端末３２の絡みが少なく取扱いも容易である。また、各単位パネル５に収束されている光ファイバ３の光出射端末３２は、長さが短くてコネクタ２０に整列されている。従って、光ファイバ３の光出射端末３２を損傷することなく大型スクリーンＳを設置工事することができる。大型スクリーンＳが巨大化しても、単位パネル５の枚数が増加するものの、この利点が損なわれることはない。
【００２６】
各単位パネル５の取付け工事の完了後には、コネクタ２０，２０’を連結することになる。
【００２７】
コネクタ２０，２０’の連結は、大型スクリーンＳの背部側を避けた側方直下で並列してなされる。従って、コネクタ２０，２０’で光ファイバ３の光出射端末３２を損傷することもない。
【００２８】
なお、前述の各単位パネル５の取付け工事の際には、並行して光ファイバ３の光ケーブル３３の配設工事を行うことができる。従って、全体の工事の施工期間を短縮することが可能になる。
【００２９】
また、光ファイバ３の光ケーブル３３については、プロジェクタ１側でもコネクタ１０，１０’で連結するため、プロジェクタ１，単位パネル５側から完全に独立して配設工事を行うことができる。従って、大型スクリーンＳが巨大化して光ファイバ３の光ケーブル３３の配設長が長くなっても、光ファイバ３の光ケーブル３３の配設工事を容易に行うことができる。
【００３０】
また、コネクタ１０，１０’，２０，２０’を随時離脱させることができるため、単位パネル等の点検修理を容易に行うことができる。
【００３１】
以上、図示した実施の形態の外に、ドーム天井，ビル壁面等に大規模に映像を表示することも可能である。
【００３２】
【実施例】
前述の図示した実施の形態において、単位スクリーン２の縦長ａが１４ｍ，横長ｂが７ｍであるとすると、単位パネル５の縦長ｃが２ｍ，横長ｄが１ｍで４９枚で単位スクリーン２を１面構成するようにする。なお、各単位パネル５について３ｃｍの間隔で光ファイバ３の光出射端末３２を収束させ、単位スクリーン２全体で約１２万本の光ファイバ３の光出射端末３２を収束させると、表示される映像が動画であっても画質がかなり良質になる。
【００３３】
【発明の効果】
以上のように、本発明に係る大規模映像装置は、コネクタにより光ファイバの配設ラインから単位パネルを分離して単位スクリーンを構成する取付け工事を行うことができ、他の単位パネルの光ファイバ等との絡みが低減されるため、光ファイバを損傷することなく巨大化した大型スクリーンを設置工事することができる効果がある。
【００３４】
さらに、単位パネルの工事と並行して光ファイバの光出射端末以外の部分の配設工事を行うことができるため、全体の工事の施工期間が短縮される効果がある。
【００３５】
さらに、コネクタにより随時光ファイバの配設ラインから単位パネルを分離することができるため、単位パネル等の点検修理が容易である効果がある。
【図面の簡単な説明】
【図１】  本発明に係る大規模映像装置の実施の形態を示す斜視図である。
【図２】  図１の要部の拡大図である。
【図３】  図２の拡大断面図である。
【図４】  図２の他の部分の拡大断面図である。
【図５】  図１の他の要部の拡大図である。
【符号の説明】
１      プロジェクタ
２      単位スクリーン
３      光ファイバ
３１    光入射端末
３２    光出射端末
３３    光ケーブル
５      単位パネル
５１    基板
５１１  取付孔
５２    リブ
１０，１０’  コネクタ
２０，２０’  コネクタ
Ｓ      大型スクリーン
【図１】
0003686500.tif 000002
【図２】
0003686500.tif 000003
【図３】
0003686500.tif 000004
【図４】
0003686500.tif 000005
【図５】
0003686500.tif 000006